(57)【特許請求の範囲】
【請求項１】
引張バンド（１５）を備えた湾曲調整可能な脊柱前湾サポートのための縦及び横ささえ（２，３，４）を備えたプラスチック製の弾性的な湾曲部材（１）であって、引張バンド（１５）の一方の端部（２３）が固定部材（１７）により湾曲部材（１）に結合されており、かつ引張バンドの他方の端部が、湾曲部材（１）の湾曲の調整のための偏心装置に結合されている形式のものにおいて、湾曲部材（１）がこれに一体に製作された付加部（６）を備えており、この付加部が前記偏心装置の受容及び支承のためのケーシング（７）の一部であり、かつ、引張バンド（１５）の受容と案内のために役立つブリッジ（１４）が、湾曲部材（１）の中央の縦ささえ（４）に沿って湾曲部材（１）と一体に形成されており、その場合、これらのブリッジ（１４）が、引張バンド（１５）のための種々異なる挿通高さを有していることを特徴とする湾曲部材。
【請求項２】
ブリッジ（１４）の引張バンド（１５）のための挿通高さが付加部から固定部材へ向かって減少していることを特徴とする請求項１記載の湾曲部材。
【請求項３】
引張バンド（１５）のための挿通高さを制限する隆起部（２２）が、少なくとも１つのブリッジ（１４）に隣合って中央の縦ささえ（４）に配置されていることを特徴とする請求項１又は２記載の湾曲部材。
【請求項４】
ブリッジ（１４）と隆起部（２２）とにより制限された挿通高さが引張バンド（１５）の厚さに相応していることを特徴とする請求項３記載の湾曲部材。
【請求項５】
固定部材（１７）が、湾曲部材（１）もしくは引張バンド（１５）に設けた係止突起（１８）と、これに対応する係止開口（２０）とから成ることを特徴とする請求項１から４までのいずれか１項記載の湾曲部材。
【請求項６】
係止突起（１８）が湾曲部材（１）と一体に製作されており、かつ付加部（６）へ向いた滑り傾斜部（１９）を備えていることを特徴とする請求項５記載の湾曲部材。
【請求項７】
係止突起が、中央の縦ささえ（４）に設けられた係止開口内に引っ掛け可能な、引張バンド（１５）の折り曲げられたフック状の部分であることを特徴とする請求項５記載の湾曲部材。
【請求項８】
引張バンド（１５）が偏心カム（９）の受容のための係止穴（２１）を備えていることを特徴とする請求項１から７までのいずれか１項記載の湾曲部材。
【請求項９】
付加部（６）が付加的に、ヒンジとして役立つ材料薄肉部を介して、ケーシング（７）の旋回可能な閉鎖部分（１２）に結合されていることを特徴とする請求項１から８までのいずれか１項記載の湾曲部材。
【請求項１０】
ケーシング（７）の付加部（６）及び閉鎖部分（１２）が突起と受容部（１３）との形状の互いに対向する案内部材及び又はスナップ結合部材を備えていることを特徴とする請求項９記載の湾曲部材。
【請求項１１】
湾曲部材（１）を座部のフレーム部分へ配置するための固定部材として丸形ピン（２５）がケーシング（７）内に備えられており、該ケーシング（７）から丸形ピン（２５）の中央部分と端部とが露出しており、丸形ピン（２５）の中央部分と端部には、それぞれ互いに１８０°異なる向きの平面部（２６）が設けられており、座部のフレーム部分には、丸形ピン（２５）の平面部（２６）に対応して丸形ピン（２５）を支承するためのフック状の支承部（２４）が固定されていて、各支承部（２４）間の丸形ピン（２５）の直径方向の内のり間隔は、丸形ピン（２５）の直径から端部及び中央部分の平面部（２６）の厚さを引いた厚さに正確に対応しており、かつ支承部（２４）のフック部分の下側では、各支承部は、丸形ピン（２５）の直径に等しいか又は若干大きな間隔を有しており、湾曲部材（１）の丸形ピン（２５）が中央部分と端部をもってフック状の支承部（２４）間に挿入されるようになっていることを特徴とする請求項１から１０までのいずれか１項記載の湾曲部材。
【発明の詳細な説明】
【０００１】
本発明は引張バンドを備えた湾曲調整可能な脊柱前湾サポートのための縦及び横ささえを備えたプラスチック製の弾性的な湾曲部材であって、引張バンドの一方の端部が固定部材を介して湾曲部材に結合されており、かつ他方の端部が湾曲部材の湾曲の調整のための偏心装置に結合されている形式のものに関する。
【０００２】
この種の湾曲部材はドイツ連邦共和国特許Ｃ１第４３２０１０５号明細書から公知である。これから公知の湾曲部材は調整装置との結合に関連して付加的な部材と著しい組立費用とを要する。
【０００３】
本発明の課題とするところは、コスト的に有利に、かつわずかな費用で簡単に製作可能であり、かつわずかな費用で組立可能であるように脊柱前湾サポートのための湾曲部材を改良することにある。本発明の別の課題は、湾曲部材を簡単かつ迅速に、工具なしで背もたれのフレーム又はフレーム部分に固定することにある。
【０００４】
最初に記載した課題は、請求項１の特徴を備えた湾曲部材により解決される。本発明の有利な構成は請求項２以下に記載の通りである。
【０００５】
次ぎに、１実施例につき図面を参照して本発明を詳しく説明する。ここに、
第１図は本発明にもとづく湾曲部材の平面、
第２図は第１図にもとづく湾曲部材の横断面、
第３図は引張バンド、及び
第４図は中央部分と自由端とに互いに対向して位置する平面部を備えた丸形ピンの部分を示す。
【０００６】
湾曲部材１は横ささえ２と縦ささえ３とを備えたリブ構造から成る。図示の実施例では、中央ささえと並んでその両側にこれに対して平行に２つの別の縦ささえ３が配置されており、これらの縦ささえは、これらを結合している横ささえ２と共に中央フレームを形成しており、この中央フレームは全体として縦ささえ３，４により水平軸線を中心として湾曲可能である。横ささえ２は側方の支持を保障するために、この中央フレームを越えて両側へ突出しており、かつこの中央フレームに対して角度を成して配置される。湾曲部材１はプラスチックからのみ成るのが有利であるが、しかしその場合、任意材料、例えば金属から成る補強挿入体及び又は補強リブを備えることもできる。重量を節約し、及び又は曲げ特性及び安定性及び強度に影響を与えるために、切欠５を設けることができる。湾曲部材１の下端には付加部６が湾曲部材１と一体に形成されている。
【０００７】
図示の実施例では、この付加部６は調整装置の収容と支承とのためのケーシング７の一部である。調整装置は偏心カム９を備えていてケーシング７内に支承可能な回転可能なディスク８を有しており、その場合、このディスク８は図示されていないはすば歯車に固定的に結合されているか又はこの歯車と一体に製作されており、このはすば歯車はケーシング７内に支承された（図示されていない）ウオームと噛み合っており、その場合、このウオームは延長部１０を介してハンドル車１１に回動不能に結合されている。このハンドル車１１によりウオームが回転させられ、これにより、ウオームと噛み合っている歯車、ひいては偏心カム９を備えたディスク８が同様に回転させられる。
【０００８】
図示の実施例では、ケーシング７は付加部６と、これに対応する閉鎖部分１２とから成っており、この閉鎖部分の輪郭は第１図に部分的に破線で示されている。付加部６及び閉鎖部分１２は第２図に示したように突起及び凹所１３，１３′を備えており、この突起及び凹所は、偏心カム９とはすば歯車とを備えたディスク８並びに延長部１０とハンドル車１１とを備えたウオームを付加部６及び閉鎖部分１２に設けた適当な凹設部もしくは切欠内に組み込んだ後で、ケーシング７を閉じるべく、付加部６及び閉鎖部分１２を合わせて保持するための案内部材及び又はスナップ結合部材として役立つ。突起及び凹所１３′はそれぞれ、付加部６もしくは閉鎖部分１２の厚さに相応していて、かつこれにより突起の自由端が、貫通して開放されている凹所の出口に例えば超音波により溶接することができるように形成される。突起６及び閉鎖部分１２は、適当なリベット又はねじ結合部材により互いに固定的に結合される合致した（図示されていない）孔を備えるだけでもよい。
【０００９】
閉鎖部分１２はヒンジとして役立つ材料薄肉部を介して湾曲部材１の付加部６と一体に形成することができる。その場合、ケーシング７の閉鎖のためには、閉鎖部分１２を１８０度旋回して付加部６に固定的に結合させるだけでよい。
【００１０】
湾曲部材１の背面には中央の縦ささえ４上に有利には横ささえ２の領域内に、引張バンド１５の受容と案内とのために役立てられるブリッジ１４が配置される。有利には引張バンド１５は板ばねの形状で曲げ弾性的に形成され、かつ金属又はプラスチック又はその他の曲げ弾性的な材料で造ることができる。ブリッジ１４を湾曲部材１と一体に鋳造又はプレスにより製作することができるように、中央の縦ささえ４はブリッジ１４を配置する箇所の領域内に窓１６を備えている。
【００１１】
湾曲部材１の上端にはブリッジ１４の中央軸線の延長線上で中央の縦ささえ４上に、引張バンド１５のための固定部材１７が配置されている。図示の実施例では、固定部材１７は付加部６へ向けられた滑り傾斜部１９を備えた係止突起１８から成っている。引張バンド１５は係止開口２０を備えており、その大きさは係止突起１８と滑り傾斜部１９とがこの開口により囲われるように形成されている。引張バンド１５は係止開口２０とは反対側の端部に係止穴２１を備えており、その直径はこの係止穴が遊びなしに又はわずかな遊びで偏心カムを、その回転を許容するように、受容することができるように選択されている。
【００１２】
ブリッジ１４は付加部６から固定部材１７へ向かって減少した挿通高さを有している。中央の縦ささえ４上にはブリッジ１４に隣合って、有利にはすべてのブリッジ１４に隣合って、有利には挿通高さを引張バンド１５の厚さまで制限する隆起部２２を設けることができる。挿通高さ及び又は隆起部の数及び高さを選択することにより、湾曲特性を調整することができ、例えば高さにわたって種々異なる曲率半径を調整することができる。曲率半径はブリッジ１４の相互間隔によっても変化させることができる。引張バンド１５の係止開口２０と係止穴２１との間隔を変化させることにより、湾曲部材１の予負荷を規定することができる。
【００１３】
湾曲部材１の上端のところでの引張バンド１５の固定の仕方の図示されていない実施例は次のように形成されている。固定部材１７はその実施例では中央の縦ささえ４に設けた横スリットから成り、かつ、引張バンド１５は上端２３に、この横スリット内に挿入するのに適したフック状の折曲部を備えている。
【００１４】
調整装置がケーシング７内に挿入され、かつケーシングが閉鎖されると、付加部６からブリッジ１４の下方を通して、かつ場合により隆起部２２の上方を通して、引張バンド１５が係止開口２０を前向きにして押し入れられる。その際、引張バンド１５の前端２３が滑り傾斜部１９に乗り上げ、これにより引張バンド端部２３が傾斜部勾配により予負荷されるため、係止開口２０が係止突起１８の自由端を越えて滑動すると、係止開口２０が係止突起１８の後方に係合する。同様に、湾曲部材１を手により若干湾曲させた状態で係止穴２１が偏心カム９の上方に位置決めされる。隣合う１対のブリッジ１４の挿通高さと隆起部２２とにより生ぜしめられた、係止穴を備えた引張バンド端部の予負荷により、この係止穴は偏心カム９に沿って、カム９と引張バンド１５との相対回転を許容するように偏心カムの底部のところでディスク８に当接するまで、滑動する。これにより、引張バンド１５と偏心装置との固定的な結合が工具を使用せずに行われる。しかし、この固定は例えばリベット又はねじ結合又は止め輪により行われてもよい。
【００１５】
ケーシング７の下端には本実施例では、工具を使用せずに湾曲部材１を配置するための固定部材が、じかに背もたれのフレームに、又は付加的なフレーム部分に間接的に固定されている支承部２４（第４図参照）内に設けられている。この固定部材は有利には丸形ピン２５として形成されており、それの中央部分はケーシング７内で露出しており、かつその端部はケーシング７から突出している（第１図参照）。第４図にはこの丸形ピン２５の１実施例が第１図の図平面内の平面図で示されている。これから看取されるように、中央部分及び露出した端部は平面部２６を備えており、その場合、中央部分の平面部２６と端部の平面部とは互いに１８０度向きがずれている。支承部２４は若干フック状に形成されており、それらを互いに向かい合うように移行させたと仮定した場合にそのフック部分の相互の内のり間隔は丸形ピンの直径から端部及び中央部分の平面部２６の厚さを引いた厚さに正確に対応している。この内のり幅は例えば５ｍｍの直径の丸形ピンとそれぞれ１ｍｍの厚さの平面部の場合に、３ｍｍとなる。フック部分の下側では支承部は丸形ピン２５の直径に比して等しいか又は若干大きな間隔を有している。
【００１６】
第４図に示された位置では丸形ピン２５ひいては湾曲部材１はフック状の支承部２４の間に挿入されている。丸形ピンはその軸線を中心としてほんのわずかな角度だけ若干旋回した後には、有効直径が５ｍｍとなるため、もはや支承部から取りはずすことができない。このことにより、フレーム又はフレーム部分への湾曲部材の極めて迅速かつ確実な組付けが可能である。
【００１７】
丸形ピン２５は別の実施例では平面部を備えておらず、かつ適当な保持体、例えば弾性的な脚を備えたＵ字形保持体又は丸形ピンの端部をつかむための弾性的に旋回可能なキャップ状の保持体内に挿入可能である（すべて図示せず）。湾曲部材１は工具を使用せずにフレーム部分例えば丸棒へ配置するための、例えばクリップの形状の別の固定部材及び又は案内部材を有することもできる。
【図１】
0004012565.tif 000002
【図２】
0004012565.tif 000003
【図３】
0004012565.tif 000004
【図４】
0004012565.tif 000005